(57)【要約】  一方では界面活性剤含有ベースを、他方では反応性香料カプセル含有ベースを有し、これらを物理的に離隔されたコンパートメント内で保持する包装製品を説明する。この物理的離隔によって、付香ベースの貯蔵が延長され、その際、該付香ベースの変質は生じない。【特許請求の範囲】
【請求項１】
ａ）容器；
ｂ）液状ベースから形成され、前記ベースがその全質量に対して０．１〜９０質量％の界面活性剤又は表面活性成分系を含有する第１の成分；及び
ｃ）フレグランスメラミン樹脂カプセル又はフレグランスコアセルベートカプセルを有する付香ベースから形成された第２の成分；を有する包装製品であって：
前記容器は物理的に離隔された少なくとも２つのコンパートメントを有し、前記第１の成分と前記第２の成分とが別個のコンパートメント内に保持されている包装製品。
【請求項２】
第２の成分が、フレグランスメラミン樹脂マイクロカプセルの水性懸濁液を有する、請求項１に記載の包装製品。
【請求項３】
２つのコンパートメントが、少なくとも２つのポリマー材料シートによって形成された共通の接合部を有し、該接合部は破砕性のシールで溶接又は成層されており、前記コンパートメントの１つに外圧がかけられた際に、該シールは長手方向軸線に沿って内部で破裂し、その際、包装品の外壁は破裂しない、請求項１に記載の包装製品。
【請求項４】
物理的に離隔された２つのコンパートメントがそれぞれ開口部を有しており、該開口部は、第１の成分と第２の成分とが使用時に統合されるように互いに近接して位置された、請求項１に記載の包装製品。
【請求項５】
物理的に離隔された２つのコンパートメントが水溶性の薄膜又は皮膜から製造されており、それらは破砕性のシールによって物理的に離隔されている、請求項１に記載の包装製品。
【請求項６】
第１の成分が、液状洗浄剤ベース、布地用柔軟剤ベース、シャンプー、リンスオフ髪用コンディショニング剤ベース、シャワージェルベース、フォームバスジェルベース及びあらゆる清浄用途の液状ベースからなる群から選択された、請求項１に記載の包装製品。
【請求項７】
第２の成分が、増粘ポリマー系を有する、請求項１に記載の包装製品。
【請求項８】
増粘ポリマー系が、非イオン性ポリマーと陽イオン性ポリマーとの混合物である、請求項７に記載の包装製品。
【請求項９】
増粘ポリマー系が、ＡＭＰＳ型の陰イオン性ポリマー又はそれらのコポリマーである、請求項７に記載の包装製品。
【請求項１０】
第２の成分が水性懸濁液を有しており、該水性懸濁液がその質量に対して０．５〜８質量％のフレグランスカプセルを含有する、請求項１から７までの何れか１項に記載の包装製品。
【請求項１１】
増粘ポリマー系が、第２の成分の質量に対して０．１〜１０質量％の質量の範囲で存在している、請求項７から９までの何れか１項に記載の包装製品。
【請求項１２】
請求項１から１０までの何れか１項に記載の包装製品を使用して表面を処理する方法において、容器の物理的に離隔されたコンパートメントの内容物を混合する段階及び合された成分の内容物を処理されるべき表面上に施与する段階を含む方法。
【請求項１３】
請求項３に記載の包装製品を使用し、別個のコンパートメントの内容物を、１つのコンパートメントの外側上に圧力をかけてコンパートメントを離隔しているシールの破砕を誘発することによって合する、請求項１１に記載の方法。
【請求項１４】
液状ベースから形成され、前記ベースがその全質量に対して０．５〜９０質量％の界面活性剤系を含有する第１の成分；及びフレグランスメラミン樹脂カプセル又はフレグランスコアセルベートカプセルを有する付香ベースから形成された第２の成分を保持するための複数のコンパートメントを有する容器の使用において；前記第１の成分と前記第２の成分とを離隔されたコンパートメント内に保持させ、そして前記容器の使用時にそれらを合して表面を処理する使用。
【発明の詳細な説明】
【技術分野】
【０００１】
技術分野
本発明は、香料工業に関する。本発明は特に、包装製品であって、容器内に、界面活性剤系を含有する液状ベースと、フレグランスアミノプラストマイクロカプセル、すなわちフレグランスメラミン樹脂マイクロカプセル又はフレグランスコアセルベートマイクロカプセルとを有する付香ベースとを有する製品に関する。本発明は、その容器が物理的に離隔された少なくとも２つのコンパートメントを有しており、かつ一方では界面活性剤を含有する液状ベースが、かつ他方ではフレグランスカプセルベースが、別個のコンパートメント内に保持されているという事実を特徴とする。
【０００２】
背景技術
メラミン樹脂及び尿素樹脂は、アミノ樹脂の非常に重要な代表例を構成するものである。それらは、ＮＨ含有化合物、求核分子及びカルボニル含有化合物の一種のマンニッヒ反応によって得られる。ＮＨ成分は、主に尿素Ｈ２Ｎ−ＣＯ−ＮＨ２又はメラミン（２，４，６−トリアミノ−１，３，５−トリアジン）である。カルボニル成分は、主としてホルムアルデヒド（希にケトン又は他のアルデヒド）である。求核成分は、Ｈ酸（ハロゲン酸）、ＯＨ化合物（アルコール、カルボン酸）又はＮＨ化合物（尿素、メラミン、アミン等）であってよい。得られる「アミノプラスチック」は、無色である。メラミン樹脂は、安全食器に使用されている。更に、文献によれば、有効物質のカプセル化のためのアミノ樹脂の使用が報告されており、かつ特に、かかるカプセル化系の香料及び化粧品用途における潜在的な使用が言及されている。従って、アミノ樹脂系カプセルは、一般的に、アミノプラストカプセルとも称されており、それは香料及び化粧品工業に関する多様な文献報告及び特許出願の対象である。実際に、これらのポリマーは、保護されるのが望ましい有効成分の周囲に保護皮膜を形成することができ、こうして、非水溶性を特徴とするカプセル化系を提供する。カプセルによって保護されている有効成分は、脆性マイクロカプセルの機械的破裂を介して解放することができる。
【０００３】
目下のところ、これらのポリマーの使用を基礎とするカプセルは、揮発性かつ不安定な成分、例えば付香化合物を、所定の媒質、例えば水性環境中での分解から保護する良好な手段を提供する一方で、それらは処理ベースが界面活性剤系を有する機能性消費者製品中では使用することができない。それというのも、それらはかかる媒質中では不安定であるからである。特に、かかるマイクロカプセルの皮膜がたとえ水に不溶であっても、洗浄溶液、例えば界面活性化合物を含有する界面活性剤溶液が、カプセル中に含まれるフレグランスを洗い出し、そして数週間後には空の皮膜が残されるということは、当該技術分野で公知である。従って、この類型の化学的反応性を有するアミノプラストマイクロカプセルは、界面活性剤系を含有する消費者製品中では使用できない。
【０００４】
別の類型のマイクロカプセルも、同様の問題に直面するので、その使用にあたって同様の制限を受ける。そのカプセルは、コアセルベート系である。コアセルベーションは、水相分離とも称されており、それは極めてよく知られた疎水性液体のカプセル化技術である。コアセルベーション法は、油含有マイクロカプセル又はそれより大型のカプセルを提供することを可能にし、その際、カプセル化材料はゲル化された親水コロイドであり、該コロイドは油について不浸透性であり、かつ核を形成する油の周囲に均等かつ稠密に堆積している。このカプセル化コロイド材料はタンパク質であり、該タンパク質は反対の電荷を有する別のコロイドと複合体をなしていてよい。目下のところ、単純又は複合コアセルベーション法の製品は、界面活性剤を含有する環境中で不安定であり、かつこれによって、それらの、洗浄又は清浄用類型のほとんどの消費者製品中での使用が妨げられる。
【０００５】
カプセル化されたフレグランスを含有するアミノプラストマイクロカプセルの製造方法は、十分に公知の技術水準であり、かつそれは特許文献、例えば米国特許第３５１６９４１号、米国特許第４９７６９６１号、ドイツ国特許第１９８３３３４７号（ＢＡＳＦ社）、国際特許第０１／５１１９７号（ＢＡＳＦ社）及び米国特許第６２６１４８３号（ＢＡＳＦ社）、英国特許出願第２０７３１３２号並びにＷＯ９８／２８３９６号に記載されている。
【０００６】
かかるフレグランスアミノプラストカプセルを家庭用品及び化粧品用途のため液状配合物中で使用することもまた十分に公知である。例えば、Ｐｒｏｃｔｅｒ  ＆  Ｇａｍｂｌｅ社の米国特許第５１８８７５４号は、香料を脆性マイクロカプセルの形で含有する洗浄剤組成物を記載している。またＰｒｏｃｔｅｒ  ＆  Ｇａｍｂｌｅ社の米国特許第５１３７６４６号は、流体組成物、例えば布地用柔軟剤中で安定なフレグランスアミノプラスト粒子の製法及び使用を記載している。しかしながら、この組成物は、最初に香料を溶融ポリマーで固体化して、次いでその固体化された香料を粉砕し、そしてアミノプラスト樹脂で被覆するという２段階の製造工程を要求する。
【０００７】
陽イオン性移動剤が、かかるアミノプラストカプセルの組成物を、布地、皮膚及び髪の上で移行させることも記載されている。このことは、かかるアミノプラストカプセルが液状のリンスオフ配合物、例えば洗濯用洗浄剤、布地用コンディショニング剤、シャンプー、リンスオフ髪用コンディショニング剤及びボディ洗浄料中で使用される際に極めて重要である。
【０００８】
Ｐｒｏｃｔｅｒ  ＆  Ｇａｍｂｌｅ社の米国特許第４２３４６２７号は、布地用コンディショニング剤からのカプセルの堆積を改善するために、アミノプラスト皮膜で被覆され、さらに非水溶性の溶融性陽イオン性被覆物によって被覆された液状フレグランスを開示している。１９８９年のＵＳ４９７３４２２号（Ｐ＆Ｇ社）においては、当時、陽イオン性被覆物を有するカプセルは、処理されるその表面、例えば布地用柔軟剤で処理される布地に対する改善された直接性を提供することを更に記載されていた。これと同様の思想が、１９９１年にＵｎｉｌｅｖｅｒ社のＵＳ５１８５１５５号に記載されており、そこでは水溶性ポリマーについての陽イオン性ポリマーの選択を拡げており、かつそのカプセル化の類型が当時の技術水準のものとは異なっていた。ＩＦＦ社の米国特許出願２００４００７１７４２号は、フレグランスアミノプラストカプセルが陽イオン性デンプン又は陽イオン性グアールで被覆される同様の技術を開示している。Ｃｏｌｇａｔｅ−Ｐａｌｍｏｌｉｖｅ社の国際特許出願ＷＯ０３／００２６９９号は、架橋された陽イオン性ポリマーによって脆性アミノプラストマイクロカプセルの堆積が改善される布地用柔軟化組成物を記載している。リンスオフ配合物中での陽イオン性マイクロカプセルの堆積の改善は、ＢＡＳＦ社の米国特許出願２００３／０１７１２４６号及びＨｅｎｋｅｌ社の国際特許出願ＷＯ０１／６２３７６号にも広く開示されている。
【０００９】
しかしながら、前記のとおり、アミノプラストカプセルをリンスオフ用途に使用することの主な欠点はフレグランスカプセルがかかる液状配合物中では安定でないことである。この香料は、配合物中の表面活性成分によってそのカプセルの外へ抜き出される。これまでのところ、従来記載されたアミノプラストカプセルは、リンスオフ配合物中で４５℃で２ヶ月にわたって、すなわち多くの実際的な環境中で直面する貯蔵条件下で、安定を保たない。
【００１０】
かかるフレグランスアミノプラストカプセルの安定性を、カプセル膜を改質させることによって増加させようとする幾つかの試みがなされている。例えば、Ｑｕｅｓｔ  Ｉｎｔｅｒｎａｔｉｏｎａｌ社の国際特許出願ＷＯ０２／０７４４３０号は、界面活性剤を含有する水性製品中における前記のアミノプラストカプセルの安定性問題を概要を示しており、それは、１種以上の無水物のポリマー又はコポリマーを有する第２のポリマーのカプセル皮膜中における使用を基礎とする解決法を提案している。それは特に、髪用シャンプー中における、エチレン（無水マレイン酸）コポリマー存在下で製造されたアミノプラストカプセルの改善された安定性が記載している。この解決法は、カプセルの耐分解性を改善させる一方で、保護を提供する結果として、有効成分、すなわち香料がそのカプセルから容易に解放されることをも妨げる。従って、これらの改質カプセルは、元のカプセルと比べて、香料の解放のために大きなエネルギーを必要とし、かつこのことは、それらの施与における使用についての欠点を構成しうる。更に、３７℃で１ヶ月後に得られる安定性は、それらの施与にとって十分ではない。
【００１１】
他方、Ｓｙｎｇｅｎｔａ  Ｌｔｄ．社のＷＯ０１／９４００１号は、表面改質化合物を有するポリマー樹脂の中実の浸透性皮膜を有するという可能性を挙げており、該化合物はそこに導入されたイソシアネートと反応できるものである。このメラミン樹脂の皮膜は、メラミン樹脂の使用を基礎としながら、浸透性になるように改質されており、それによって結果的に、そこでカプセル化された付香成分を、カプセル化の貯蔵に際して拡散プロセスを介して放つことができる。
【００１２】
従って、これまで先行技術によって提供された解決法は、十分なものではない。
【００１３】
目下のところ、本発明は、アミノプラストマイクロカプセルであるメラミン樹脂系マイクロカプセル又はコアセルベートカプセルを基礎とするフレグランスカプセルを、界面活性剤含有媒質中で使用することに関する問題に対して、極めて経済的かつ有効な解決法を提供し、その際、これらの類型のカプセルの解放特性について利点を有する。本発明の解決法は、包装製品であって、フレグランスアミノプラスカプセル又はコアセルベートカプセルと、その製品の他の成分、特に界面活性剤とが物理的に離隔され、従ってそれらが任意の所望の貯蔵時間にわたって離隔されて保たれる包装製品から構成されている。この包装製品は更に、それぞれの離隔されたコンパートメントの内容物をその使用前又は使用中に簡単に混合することを可能にして、こうしてすぐ使用できる機能性着香製品を提供し、その際、そのカプセル化形の香料は、界面活性剤含有ベース中における前記カプセルの安定性問題に直面しないという利点を有する。
【００１４】
本発明の開示
本発明の第１の課題は、容器、液状ベースから形成され、該ベースがその全質量に対して０．１〜９０質量％の界面活性剤系を含有する第１の成分；及びフレグランスアミノプラストマイクロカプセル、すなわちフレグランスメラミン樹脂カプセル又はフレグランスコアセルベートカプセルを含有する付香ベースから形成された第２の成分を有する包装製品であって；前記容器は、物理的に離隔された少なくとも２つのコンパートメントを有し、その際、第１の成分と第２の成分とが別個のコンパートメント内に包装されている包装製品である。本発明にかかる包装製品によれば、有利には、反応性のフレグランスカプセル、すなわちフレグランスメラミン樹脂カプセル又はフレグランスコアセルベートカプセルを含有する第２の成分をあらゆる変質の危険にもさらすことなく、製品の貯蔵性を延長させることができる。消費者は、本製品を使用する前に、離隔されたコンパートメントの内容物を簡単に混合し、次いで付香ベースと処理ベースとの混合物からなる統合された組成物を効果的に使用できる。
【００１５】
本発明の更なる態様は、表面、例えば織物若しくは更に皮膚又は髪を、前記の包装製品を使用して処理する方法において、該方法は、容器の離隔されたコンパートメントの内容物を混合する段階、及び、次いで統合された組成物を、処理されるべき表面上に施与する段階を含む方法に関する。
【００１６】
メラミン樹脂カプセル及びコアセルベートカプセルは、両方とも、その施与、すなわち消費者製品において付香成分用のカプセル化系として使用される際に多くの利点を提供する。第一に、それらは、使用の間に、シャンプー又はシャワージェル型の施与において使用される際には例えば摩擦によって破砕され、新鮮なフレグランスの放出が知覚される。他方、これらのカプセルは、特に処理がなされる際に、その施与における使用に際して表面上に効果的に位置することができる。従って、本発明にかかる製品で表面が処理される際には、香料カプセルは、界面活性剤を含有する本製品の構成成分の性質に依存して前記表面、一般的には織物、皮膚又は更に髪の上に留まり、かつそこでカプセル化された付香成分の十分な解放を、簡単な機械的作用、例えばその表面上での摩擦によって提供する。これらの効果は、これまでは得ることができなかった。それというのも、これらの類型の反応性カプセルは、その予想される使用の前に界面活性剤含有ベースによって貯蔵の間に変質していたからである。
【００１７】
本発明の範囲内では、第１の成分は、界面活性剤を含有する液状ベースから形成されている。この液状ベースは、処理活性又は清浄活性を有し、従って「処理ベース」とも称されてよい。特にこの「処理ベース」は、表面処理に関する所定の機能活性を提供するように特別に設計される配合物の組成物を指す。かかる活性は、例えば、清浄、浄化、洗浄、柔軟化、漂白又は他の活性から構成されていてよく、これらは合成表面の処理又は皮膚又は髪の処理に適合する。かかる処理ベースの配合物は、当該製品で達成されることが望まれる処理に依存して多様な性質及び機能の成分を有する。近年、機能性製品及び配合物の範囲は広範にわたっており、かつ頻繁に変化し、こうして製品ごとのアプローチ及び、それぞれの場合についての処理ベースの組成物の定義を基礎とする記載は実行不可能であり、かつ何れにしても網羅的ではない。しかしながら、当業者は、必要以上の努力をすることなく、特別の目的のために設計される処理ベースを製造するための好適な成分を選択することができる。かかる全種のベースが共通して有することは、香料をフレグランスマイクロカプセルの外へ抜き出しうる界面活性剤又は表面活性成分の存在であるにすぎない。
【００１８】
かかる「処理ベース」の多くの例は、一般的に付香された液状消費者製品に関連している当該技術の教本及び他の文献、例えば特許文献中に見出すことができ、それらは特に、メラミン型又はコアセルベート型の香料カプセルの使用を行うものである。すなわち、かかる一般的な文献例を前記の導入部に引用したが、本発明にかかる消費者製品がフレグランスアミノプラストカプセル、すなわちフレグランスメラミン樹脂カプセル又はフレグランスコアセルベートカプセルの公知の分散液を、それに含まれる香料の解放又はその分散液中での該カプセルの安定性に関して不安定にする界面活性剤又は表面活性系を含有するのであれば、該製品は任意の所望の形又は配合物を仮定してよいことはいうまでもない。それには、アルコール、アルキル化グリコール、例えばプロピレングリコール若しくはポリアルキル化グリコール、例えばジメチコーンコポリオール又はＴｅｒｇｉｔｏｌ（Ｒ）型（Ｕｎｉｏｎ  Ｃａｒｂｉｄｅ社製のエトキシ化脂肪アルコール）の非イオン性乳化剤によって改質された疎水性分子が含まれる。
【００１９】
従って、本発明にかかる包装製品は、処理活性又は清浄活性を有する、すぐ使用できる付香された消費者製品、一般的にはリンスオフ髪用調製物、シャンプー、シャワージェル、洗濯用又は家庭用の液状洗浄剤、液状織物用柔軟剤又は更に洗濯用消臭剤である。
【００２０】
処理ベースは、少なくとも１種の界面活性剤又は表面活性成分を、そのベースの全質量に対して０．１〜９０質量％の変動する割合で有する界面活性剤系のその組成での存在を特徴とする。使用される界面活性剤系は、陰イオン性、陽イオン性、非イオン性並びに両性であってよい。しかしながら、通例、これらの類型の界面活性剤の混合物が使用される。例えば、シャンプー又はシャワージェルの施与のためには、ラウリル硫酸塩又はラウリルエーテル硫酸塩と、ベタイン型の両性界面活性剤との組合物が一般的である。織物用柔軟剤のためには、純粋な陽イオン性界面活性剤、例えばジステアリルジメチルアンモニウムクロライド又はアルキルアンモニウムメトサルフェートを一般的に使用する。他方、家庭用清浄剤はしばしば、直鎖状アルキル硫酸塩（ＬＡＳ）と、特に非イオン性エトキシ化界面活性剤とを組み合わせて基礎としている。処理される表面のぬれ性を改善し、かつ配合物の粘性を減らすために、しばしばアルコール及びグリコール、例えばプロピレングリコールを添加する。これらの界面活性剤系は例として挙げられ、かつ本発明を限定するものではなく、当業者は当然に、本発明の原理を現行の使用の他の界面活性剤系にまで、必要以上の努力をすることなく拡大できる。この界面活性剤の性質は当然、本発明の実施のためには重要ではなく、その目的は、フレグランスメラミン樹脂カプセル又はフレグランスコアセルベートカプセルと、かかるカプセルが不安定になる界面活性剤、すなわち、該カプセルが接触しながら位置している際に、かかるカプセル中に含まれるフレグランスを部分的又は完全に抜き出すあらゆる界面活性剤又は表面活性成分とを有するあらゆる消費者製品を改善することであることはいうまでもない。従って、少なくとも１種のかかる界面活性剤を、かかるカプセルの崩壊を惹起しうる量で収容するあらゆる消費者製品は、本発明によって包括され、かつこれによって含まれる。
【００２１】
本発明にかかる包装製品は更に、界面活性剤系の存在下で安定でないフレグランスカプセルを含有する付香ベースから形成された第２の成分を有する。
【００２２】
本発明の第１の態様においては、フレグランスカプセルは、メラミン樹脂マイクロカプセルから構成されている。これらのマイクロカプセルは、慣用的に、カプセル化されるべき成分、すなわち付香成分又は組成物をメラミン／ホルムアルデヒド樹脂の水溶液中で乳化して、次いでこのように形成されたマイクロカプセルを硬化することを含む重縮合工程によって製造される。本明細書では、「水性」は、実質的に水を基礎とするが、カプセルとの相溶性を有する他の溶剤、例えばエタノールを含有してもよい組成物を意味する。
【００２３】
本発明の目的に好適なカプセルは、製造業者、例えばＢＡＳＦ社から市販されている（商品名Ｍｉｃｒｏｎａｌ（Ｒ））。一般的に、これらのカプセルは、その全質量に対して２０〜８５質量％の香料をカプセル化する。フレグランスメラミン樹脂を、液状の水性懸濁液又は分散液の形で使用することが好ましい。しかしながら、このカプセルは、乾燥粉末の形で使用してもよく、液状懸濁液の乾燥処理の後、例えば噴霧乾燥処理を介して得てもよい。
【００２４】
本発明の第２の態様においては、付香ベースは、実質的に、単純又は複合コアセルベーション法によって製造されたフレグランスカプセルから構成されている。単純コアセルベーションには、相分離が生ずる際にカプセル壁部を形成させるために単一のタンパク質を使用することが含まれる。複合的方法は、相分離をもたらすために、逆に帯電した第２の非タンパク質ポリマーを使用することを意味する。この両方の方法は、工業的方法において広範に実施されており、かつ文献、すなわち教本著作物、例えばカプセル技術とマイクロカプセル化、第４章、Ｍ.グーチョ著、ニュージャージー州、１９７２年（Capsule Technology and Microencapsulation, Chapter 4, M. Gutcho, New Jersey, 1972）に十分に記載されている。一般的に、これらのカプセルは、その全質量に対して２０〜８５質量％の香料配合量を有する。
【００２５】
この両方の場合において、包装製品の１つのコンパートメント内に含まれる水性懸濁液又は分散液中のカプセルの濃度は、その水性懸濁液の全質量に対して一般的に０．５〜１０質量％、好ましくは０．５〜５質量％である。
【００２６】
このカプセル中に含まれるフレグランスの性質は、そのカプセルを形成する材料との相溶性を有するのであれば、本発明に関しては重要ではない。フレグランスは、一般的には、本発明にかかる分散液又は消費者製品を用いて達成するために望まれる付香効果の機能として選択し、そして香料技術分野における現行の実施によって配合する。それは、香料成分又は組成物から構成されていてよい。これらの用語は、付香された消費者製品の製造のために現行において使用されている種々の天然及び合成由来の両方の匂い物質を定めてよい。それらには、単一の化合物又は混合物が含まれる。かかる化合物の特定例は、現行の文献、例えば香料とフレーバー化学、Ｓ．アルクタンダー著、１９６９年、モントクレール、ニュージャージー州（アメリカ合衆国）（Perfume and Flavor Chemicals by S. Arctander 1969, Montclair, N. J. (USA)）に見い出すことができる。これらの物質は、消費者製品を付香する当業者、すなわち、匂いを伝統的に着香される消費者製品に付与するか又は前記消費者製品の臭気を改質する当業者には十分に公知である。
【００２７】
天然の抽出物を、本発明にかかる系においてカプセル化してもよい；これらには、例えば柑橘類抽出物、例えばレモン、オレンジ、ライム、グレープフルーツ又はマンダリン油の抽出物若しくは植物、とりわけハーブ及び果物の精油が含まれる。
【００２８】
本発明にかかる付香ベースは、フレグランスカプセルの他に、付加的な成分、例えば抗菌剤、増粘剤、化粧品エモリエント、ビタミン剤、冷却剤、柔軟剤、滑沢剤又は化粧品用途又は家庭用品用途に使用される他の任意の有効成分を、これらがカプセルを変質させないのであれば、有していてよい。
【００２９】
本発明の有利な態様によれば、カプセルの水性分散液は、更に、ポリマー増粘系を有する。かかる増粘ポリマーは、非イオン性ポリマー、陰イオン性ポリマー及び陽イオン性ポリマーから選択してよい。非イオン性ポリマーと陽イオン性ポリマーとの、等しい質量での混合物を使用することが好ましい。
【００３０】
かかる水溶性又は水分散性ポリマーの系は、一般的に水、シリコーン油、有機油及び鉱油、グリコール及びグリセリンを有する家庭品及び化粧品用途の液状配合物中でのフレグランスアミノプラストカプセルの安定化を、その液状配合物の流動性、散布性又は噴霧性に影響を与えることなく、特に低粘度の配合物中でカプセルが分離することを防ぐことによって促進できる。
【００３１】
非イオン性ポリマーは、アミノプラストカプセルの水性分散液を高粘度で効果的に安定化する。本発明によって使用できる非イオン性ポリマーには、グアールガム、ヒドロキシアルキルセルロース誘導体（例えば、Ｓｈｉｎ  Ｅｔｓｕ  ＆  Ｃｌａｒｉａｎｔ社製のＴｙｌｏｓｅ（Ｒ）、Ａｑｕａｌｏｎ社製のＫｌｕｃｅｌ（Ｒ） ＨＦ及びＨｅｒｃｕｌｅｓ社製のＮａｔｒｏｓｏｌ（Ｒ））、カラギナン（すなわちＫｅｌｃｏ社製）、セルロース、デンプン、マルトデキストリン、ポリマー糖類誘導体、ザンサン、ＰＶＰ／ＶＡコポリマー（すなわち、ＢＡＳＦ社製のＬｕｖｉｓｋｏｌ（Ｒ）ＶＡ）が含まれる。
【００３２】
陰イオン性ポリマーは、陰イオン性アミノプラストカプセルの液状分散液にとって最良の安定化剤であることが伺える。この分散液は、低粘度においてでさえ安定である。それというのも、それらは静電荷によって安定化されるからである。等しい電荷間での斥力作用によって、その分散液の安定性が支持される。好適な陰イオン性ポリマーには、アラビアゴム、カルボキシメチルセルロース（例えば、Ａｑｕａｌｏｎ社製のＢｌａｎｏｓｅ（Ｒ））、陰イオン性ポリアクリレート及びアルキル化コポリマー（例えば、Ｎｏｖｅｏｎ社製のＣａｒｂｏｐｏｌ（Ｒ）及びＣｉｂａ社製のＳａｌｃａｒｅ（Ｒ）ＡＳＴ、ＢＡＳＦ社製のＬｕｖｉｆｌｅｘ(R)Ｓｏｆｔ）、ポリアクリロイルジメチルタウリンアンモニウム（Ｃｌａｒｉａｎｔ社製のＨｏｓｔａｃｅｒｉｎ（Ｒ）ＡＭＰＳ）及びそれらのコポリマーが含まれる。
【００３３】
陰イオン性アミノプラストカプセルと陽イオン性ポリマーとの複合体形成は、リンスオフ配合物からのカプセル堆積物をそれが施与された表面上で移行させるために強く所望される。従って、かかる陽イオン性ポリマーをフレグランスアミノプラストカプセルに添加することが有利である。好適な陽イオン性ポリマーには、ゼラチン、四級化されたタンパク質の加水分解産物（例えば、Ｃｏｇｎｉｓ社製のＧｌｕａｄｉｎ（Ｒ）ＷＱＴ）；ＣＴＦＡ化粧品成分辞典（Cosmetic  Ingredient Dictionary）に引用されているポリクオタニウムポリマー、例えば陽イオン性セルロール誘導体（Ａｍｅｒｃｈｏｌ社製のＭｅｒｑｕａｔｓ（Ｒ）１００及びＵｃａｒｅ（Ｒ）ＪＲ３０Ｍ）、陽イオン性グアール（Ｃｏｇｎｉｓ社製のＣｏｓｍｅｄｉａ（Ｒ）Ｇｕａｒ）、四級化されたグアール（Ｒｈｏｄｉａ社製のＪａｇｕａｒ（Ｒ）Ｃ−１６２）、陽イオン性ポリアクリレート（Ｃｉｂａ社製のＳａｌｃａｒｅ（Ｒ）ＳＣ６０及びＳａｌｃａｒｅ（Ｒ）Ｓｕｐｅｒ７又はＲｏｅｈｍ社製のＥｕｄｒａｇｉｔ（Ｒ）ＲＬ３０Ｄ）、陽イオン性アクリルアミド（Ｃｉｂａ社製のＲｈｅｏｖｉｓ（Ｒ）ＣＤＥ）、ポリクオタニウムポリマー（例えばＢＡＳＦ社製のＬｕｖｉｑｕａｔ（Ｒ）Ｃａｒｅ）、ポリエチレンイミン（ＢＡＳＦ社製のＬｕｐａｓｏｌ（Ｒ）Ｐ）、四級化されたポリシロキサン及び乳化重合されたアミノシリコーン（Ｄｅｇｕｓｓａ社製のＡｂｉｌ（Ｒ）Ｑｕａｔ３２７０、Ｇｅｎｅｒａｌ  Ｅｌｅｃｔｒｉｃ社製のＦｏｒｍａｓｉｌ（Ｒ）４１０）が含まれる。
【００３４】
全種の前記ポリマーを本発明によってそれ自体でカプセルの水性分散液の改善成分として使用してよいが、非イオン性ポリマーと陽イオン性ポリマーとの組合物が、液状リンスオフ配合物中でのアミノプラストカプセルの分散液の最良の安定性を提供することを見出した。この本発明の好ましい態様の利点は、このポリマーの組合物がカプセルの凝集及び分離を惹起しないこと、及びそれが陰イオン性アミノプラストカプセル上で陽イオン性ポリマーの堆積作用に対して悪影響を有さないことである。非イオン性ポリマーは、アミノプラストカプセルを陽イオン性ポリマーとの凝集から保護し、そしてこの陽イオン性ポリマーはそのアミノプラストカプセルを、低粘度の配合物中であっても十分な分散を保つ。これは、例えば、かかる配合物を、温度を高めて、すなわち４０〜５０℃で貯蔵する場合である。多くの非イオン性ポリマー増粘剤はその増粘効率が緩まり、そしてｓ配合物全体の粘度が減る。この場合、アミノプラストカプセルは、陽イオン性ポリマーが存在しないのであれば、分離し始める。
【００３５】
非イオン性ポリマーと陽イオン性ポリマーとの組合物を用いれば、その液状配合物の全粘度を極めて低く保つことができ、こうしてその配合物を容易に噴霧でき、かつ表面、例えば皮膚、髪及び布地又は家庭用品表面上に十分に散布する。従って、本発明のこの好ましい態様によればｓ、一つの類型の前記の増粘ポリマーのみの使用を行う態様が改善される。
【００３６】
本発明の前記態様における増粘剤の一般的な濃度は、組成物の質量に対して０．１〜１０質量％、好ましくは１〜５質量％で変動する。非イオン性ポリマーと陽イオン性ポリマーとの組合物を使用する際には、その相対的な割合は５：１〜１：５の範囲内である。非イオン性ポリマー及び陽イオン性ポリマーを同等の質量で使用することが好ましい。
【００３７】
本発明にかかる包装製品は、界面活性剤存在下でのアミノプラストカプセル又はコアセルベートカプセルの不安定性という問題に対する解決法を、そのカプセルと界面活性剤含有処理ベースとを物理的に離隔することによって提供する。本発明にかかる製品は、メラミン樹脂カプセル又はコアセルベートカプセルと同様の界面活性剤系存在下における拡散の問題に直面する他の類型のポリマーカプセルに好適であることはいうまでもない。例えば、フレーバー成分をカプセル化している反応性送達系も考えられる。
【００３８】
本発明にかかる包装製品は、一方では第１の成分、すなわち界面活性剤含有液状ベースが、他方では第２の成分、すなわち付香ベースが、その容器の別個のコンパートメント内に保持されるという事実を特徴とする。一般的に、この両方のコンパートメントは、ほぼ同等の容量である。カプセルを有するコンパートメントは一般的に水性分散液を収容しており、該水性分散液はその全質量に対して０．１〜８質量％のカプセルの水性分散液である。
【００３９】
この容器は、種々の材料から製造されていてよい。一般的には、それはプラスチック、例えばＰＥＴ、ＯＰＰ、ＰＥ又はポリアミド及びそれらの混合物、成層又は他の組合物から製造されている。液状配合物中の水がグリセリン、プロピレングリコール、液状界面活性剤又は他の非水性液体に置き換えられているのであれば、水溶性プラスチック、例えばポリビニルアルコールから形成された包装品を製造することもできる。
【００４０】
容器のコンパートメントの物理的隔離に関しては、種々の態様が考えられてよい。
【００４１】
第１の態様においては、図１に示したように、別個のコンパートメントは、少なくとも２つのポリマー材料シートによって形成された共通の接合部を備えており、該接合部は破砕性のシールで溶接又は成層されており、そのコンパートメントの１つに外圧がかけられた際に、該シールは長手方向軸線に沿って内部で破裂し、包装品の外壁は破裂しない。この態様によれば、その離隔されたコンパートメントの内容物を、使用する直前に、前記コンパートメントを離隔している接合部の内部部分の破裂後に、混合することができる。外圧作用下で軸線に沿って内部で破裂するポリマー材料シートは、フォーム型のポリマー材料から製造されており、それは破砕性のシールを構成する。この類型の材料は、例えば、特にポリエチレン、ポリプロピレン、ポリアミド、ポリ塩化ビニル及びポリエステルである。これらは、厚さ０．００５〜０．２ｍｍのシートの形で提供することが好ましい。本態様においては、本発明にかかる包装製品は、２つ以上の部分又はブリスタの一回量の形であってよく、それらは離隔して貯蔵され、１つのブリスタの外側上を指で圧力をかけて、シールを破砕して２種のベースを混合させることによって、かつ使用前に一緒に、混合される。
【００４２】
本発明の第２の態様においては、図２ａ）に説明したように、一方では処理ベースを、他方では付香ベースは、別個の本体部内に保持され、該別個の本体部は、例えば首部及び開口部を備えた、図２ｂ）に示したように並列して配置及び固定できる半円筒体形状をなしている。本態様においては、２つのコンパートメント間に破砕性のシールは存在しないが、そのコンパートメントの内容物は、使用前、流出している間に容易に混合できる。それというのも、排水部において別個のコンパートメントから出る２種の液体が統合されるからである。
【００４３】
別の態様においては、図３に示したように、別個の本体は、管を形成する２本の円筒体であり、第１の円筒体は、第２の円筒体と比べて小さい直径を有し、かつ第２の円筒体の内側に位置し、従ってその排水部は、２つの同心的な（任意の形状の）開口部によって形成され、それによって、２種のベースを圧搾すると、製品使用時にそのコンパートメントの内容物の混合が可能になる。
【００４４】
本発明にかかる包装製品は、図４に示したように、水溶性の薄膜から製造されていてもよく、かつそれは破砕性又は水溶性のシールによって離隔された２つのコンパートメントを有し、その際、第１の成分は、水不含の界面活性剤含有液状ベースであり、かつ第２の成分は、反応性フレグランスカプセルを含有する付香ベースである。この包装製品は、水性環境中で使用される場合に溶解するので、製品使用時にそのコンパートメントの内容物が合される。
【００４５】
本発明は、これらに態様に限定されるものではない。それというのも、それらの内容物がその製品の使用前に合されることを可能にするように一緒に取り付けられる２つの離隔されたコンパートメントを製造する多くの種々の方法が考えられてよく、かつ本発明に好適であってよいからである。
【００４６】
本発明を、目下のところ、以下の実施例においてより詳細に説明するが、温度は摂氏温度で示し、かつ略語は当該技術分野での慣用の意味を有するものとする。
【００４７】
図面の簡単な説明
図１は、本発明にかかる一回量又は単一用量の包装製品を説明するものであり、該包装製品の第１のコンパートメント（部分１）は、フレグランスカプセルを水性懸濁液の形で有する一方で、第２のコンパートメント（部分２）は、液状洗浄剤ベースを有する。部分１の上方支持部及び下方支持部は、フォーム型の破砕性のシールから製造されている一方で、部分２の下方支持部は充実の非破砕性のシールから製造されている。
【００４８】
図２ａ）は、離隔されたコンパートメントを有するプラスチック瓶を説明するものであり、該瓶の第１のコンパートメント（部分１）は、フレグランスカプセルを水性懸濁液の形で有する一方で、第２のコンパートメント（部分２）は、液状洗浄剤ベースを有する。
【００４９】
図２ｂ）は、２つのコンパートメントが一緒に取り付けられた閉じられた瓶を示すものである。
【００５０】
図３は、２本の円筒体からなるプラスチック管を説明するものであり、該管の第１のコンパートメント（部分１）は第２のコンパートメント（部分２）と比べて小さい直径を有し、かつ第２のコンパートメントの内側に位置している。
【００５１】
図４は、第１のコンパートメント（部分１）は、フレグランスカプセルを水性懸濁液の形で有する一方で、第２のコンパートメント（部分２）は、液状洗浄剤ベースを有する、本発明にかかる一回量又は単一用量の包装製品を説明する。この２種の液体は、２つのコンパートメントの間のシールされた端部を切断するか、又は水溶性プラスチックの場合には包装品全体を水中に位置させることによって統合できる。
【００５２】
本発明の実施様式
実施例１
一回量のシャンプー
図１において説明した一回量の包装品を、以下のように製造した：熱成形されたブリスタを、厚さ２００μｍのポリプロピレン薄膜から製造されていた。被覆薄膜は、破砕性のシールを形成する２０μｍのポリアミドの成層及び２０μｍの剥離層であった。
【００５３】
図１に示した包装品の部分１に、以下の組成物を装填した：
アラビアゴムを用いるゼラチンの慣用のコアセルベーション法によって製造されたフレグランスカプセルの水性懸濁液５ｇ。このカプセルは、４０％のレモン香料油及び４０％の皮膚用エモリエントを含有していた；
０．５％のＮａｔｒｏｓｏｌ（Ｒ）２５０Ｈで増粘された水３０ｇ
Ｋａｔｈｏｎ（Ｒ）ＣＧ（メチルクロロイソチアゾリノン及びメチルイソチアゾリノン；製造元：Ｒｏｅｈｍ  ＆  Ｈａａｓ社、アメリカ合衆国）０．０８ｇ。
【００５４】
図１に示した包装品の部分２に、以下に記載するように調製された以下のシャンプーベース３０ｇを充填した：
成分 質量部
Ｔｅｘａｐｏｎ（Ｒ）ＮＳＯ  ＩＳ１）      ６３．００
Ｃｏｍｐｅｒｌａｎ（Ｒ）ＫＤ２）          ３．００
脱イオン水                          ３１．３６
塩化ナトリウム                      ０．５０
クエン酸                            ０．０４
Ｋａｔｏｎ（Ｒ）ＣＧ３）                  ０．１０
香料４） ２．００
合計                                １００．００
１）ラウリス硫酸ナトリウム；製造元：Ｈｅｎｋｅｌ社
２）コカミドＤＥＡ；製造元；Ｈｅｎｋｅｌ社
３）メチルクロロイソチアゾリノン及びメチルイソチアゾリノン；製造元：Ｒｏｅｈｍ  ＆  Ｈａａｓ社
４）製造元：Ｆｉｒｍｅｎｉｃｈ  ＳＡ社、ジュネーブ、スイス。
【００５５】
Ｔｅｘａｐｉｎ（Ｒ）ＮＳＯ  ＩＳとＣｏｍｐｅｒｌａｎ（Ｒ）ＫＤとを、一緒に混合した。これとは別に、塩化ナトリウム及びＫａｔｈｏｎ（Ｒ）ＣＧを蒸留水中に溶解させ、次いでクエン酸を添加した。
【００５６】
後者の混合物を、第１のコンパートメント内に、ゆっくりと混合して空気が混入するのを避けつつ、少しずつ注いだ。最終粘度を、塩化ナトリウムで調整し、そしてｐＨをクエン酸で６．０に調節した。
【００５７】
この包装製品の部分２上を指で簡単に圧力をかけると、このシャンプーベースと付香カプセルとが統合した。この合された組成物は、すぐ使用できる一回量の付香されたシャンプーをもたらした。
【００５８】
このシャンプーを、その製品で慣用的に洗浄された頭髪について評価した。髪を洗浄している間に、そのカプセルが破砕し、部分２内に使用された標準的なフレグランスに加え、新鮮なフレグランスが放出して発散した。すすいで乾燥させた後に、その髪に触れ、そしてわずかに摩擦させると、香料が依然として、香料の放出という形で幾分解放されることが観察された。このことは、その香料カプセルが変質せず、かつそれが処理された髪表面上に効果的に留まり、従って香料の解放が効果的になりかつ延長されるということを示した。
【００５９】
実施例２
包装された織物用柔軟剤
図２ａ）に示した２本の半円筒体を、高密度ポリエチレンのインフレーションによって製造した。
【００６０】
図２ａ）に示した包装品の部分１に、以下の組成物を装填した：
８０％の付香ベース（製造元：Ｆｉｒｍｅｎｉｃｈ  ＳＡ社、スイス）を含有するＭｉｃｒｏｎａｌ（Ｒ） フレグランスメラミン樹脂カプセル（製造元：ＢＡＳＦ社、ドイツ）の水性懸濁液２ｇ
０．８％のＪａｇｕａｒ（Ｒ）Ｃ６２（製造元：Ｒｈｏｄｉａ社、フランス）で増粘された水２８ｇ
Ｋａｔｈｏｎ（Ｒ）ＣＧ（メチルクロロイソチアゾリノン及びメチルイソチアゾリノン；製造元；Ｒｏｅｈｍ  ＆  Ｈａａｓ社、アメリカ合衆国）０．０５ｇ。
【００６１】
図２ａ）に示した包装品の部分２を、以下に記載するように調製された以下のエマルション５０ｇで充填した：
成分 質量部
Ｓｔｅｐａｎｔｅｘ（Ｒ）ＶＳ９０１）        １６．５０
１０％塩化カルシウム溶液              ０．２０
染料（１％水溶液）                    ０．３０
フレグランス２）                        １．００
脱イオン水                            ８２．００
合計                                  １００．００
１）ジアルキルアンモニウムメトサルフェート；製造元：Ｓｔｅｐａｎ社、フランス
２）製造元：Ｆｉｒｍｅｎｉｃｈ  ＳＡ社、スイス。
【００６２】
Ｓｔｅｐａｎｔｅｘ（Ｒ）を、水の中に４０〜５０℃で撹拌しつつゆっくりと注ぎ、そして、エマルションが均質になるまで更に１０分にわたって撹拌した。塩化カルシウム溶液を、Ｓｔｅｐａｎｔｅｘ（Ｒ）の添加の間に少しずつ添加して、ゲルの形成を回避した。染料及び香料を、３５℃あたりで添加して、そしてこの混合物を更に５分にわたって撹拌した。
【００６３】
この２つのコンパートメントを、図２ｂ）に示したように、並列に取り付けて、そして固定した。流出の間に、排水部において別個の円筒体から出る２種の液体が統合され、こうして十分に付香された織物柔軟剤が形成され、該柔軟剤は、織物をその柔軟剤で処理した際にカプセルが無傷でその織物上を移動することをもたらした。
【００６４】
実施例３
自己発泡性シャワージェル
実施例１に説明した一回量の包装品を使用した。
【００６５】
図１に示した包装品の部分１に、以下の組成物を装填する：
フレグランスメラミン樹脂カプセルの水性懸濁液５．０ｇ。このカプセルは８０％の濃縮香料を含有していた。
脱塩水４３．０ｇ
結晶性クエン酸３．５ｇ
Ｎａｔｒｏｓｏｌ（Ｒ）２５０Ｈ０．５ｇ。
【００６６】
図１に示したように、包装品の部分２を、以下に記載するように調製された以下の澄明なシャワージェルベース５０ｇで充填した：
成分 質量部
Ａ）Ｔｅｘａｐｏｎ（Ｒ）ＮＳＯ  ＩＳ１）      ５５．１０
Ｃｏｍｐｅｒｌａｎ（Ｒ）ＫＤ２）            ３．００
Ｂ）脱塩水                              ３１．４０
炭酸水素ナトリウム                  ８．４０
Ｋａｔｏｎ（Ｒ）ＣＧ３）                  ０．１０
香料４） ２．００
合計                                １００．００
１）ラウリス硫酸ナトリウム；製造元：Ｈｅｎｋｅｌ社
２）コカミドＤＥＡ；製造元；Ｈｅｎｋｅｌ社
３）メチルクロロイソチアゾリノン及びメチルイソチアゾリノン；製造元：Ｒｏｅｈｍ  ＆  Ｈａａｓ社
４）製造元：Ｆｉｒｍｅｎｉｃｈ  ＳＡ社、ジュネーブ、スイス。
【００６７】
Ｔｅｘａｐｏｎ（Ｒ）ＮＳＯ  ＩＳとＣｏｍｐｅｒｌａｎ（Ｒ）ＫＤとを一緒に混合した。これとは別の容器内で、炭酸水素ナトリウム及びＫａｔｈｏｎ（Ｒ）ＣＧによって形成された部分Ｂを、蒸留水中に溶解させた。
【００６８】
後者の混合物を、第１の部分（Ａ）中に、ゆっくりと混合して空気の混入を避けつつ、少しずつ注いだ。最後に、液状香料を添加した。
【００６９】
活性化のために、部分２のパウチを押圧して、離隔用シールを破砕した。この２つの部分が混合された際には、ＣＯ２（炭酸水素ナトリウムとクエン酸との反応によって形成された）によってフォーム及び圧力が発生した。これによって、一回量の包装品の上方部の破砕性シールが破壊され、そしてそのフォームは排出された。次いで、この統合された内容物を、すぐ使用することができた。フレグランスメラミン樹脂カプセルは、皮膚上での摩擦の間に破砕され、そして使用の間に、新鮮なフレグランスが放出されて発散した。更に、幾つかの無傷のカプセルが皮膚上又は髪の中に残留し、そしてその後その日の間に、乾燥した皮膚又は髪をその後に摩擦するか又はとかした際には、新鮮な香料の匂いが発散した。
【００７０】
実施例４
洗濯用界面活性剤のための水溶性容器
濃縮された液状の洗濯用界面活性剤を、噴霧乾燥粉末の形のフレグランスメラミン樹脂マイクロカプセルと一緒に、水溶性ポリビニルアルコールのシート又は袋の中に詰めた。
【００７１】
部分１：実施例２に開示した組成を有し、更に慣用の噴霧乾燥工程に供されて噴霧乾燥粉末に形成されたカプセル０．５ｇ。
【００７２】
部分２：以下の組成を基礎とする水不含の液状界面活性剤２５ｇ：
成分 質量部
直鎖状アルキルスルホネート              ５．００
脂肪アルコールエトキシレート７ＥＯ      ７４．００
ポリグリコール４００                    ２０．５０
クエン酸                                ０．５０
合計                                １００．００。
【００７３】
部分１と部分２とを、厚さ８０ｍｍの水溶性ポリビニルアルコールシート（Ｓｏｌｔｅｃ（Ｒ））Ｔ１０；製造元：Ｓｏｌｔｅｃ社、パリ）から製造された２つのコンパートメント袋内に別個に充填した。この２つの部分は、水に溶解させた際に、使用時に合された。
【００７４】
実施例５
フレグランスメラミンカプセルを有する組成物
本包装製品の別個のコンパートメントの１つに含まれるフレグランスカプセルを有する成分として使用されるものとして意図される以下の組成物を、その成分を混合することによって調製して、それらの間で水溶液中でのカプセル懸濁液の安定性について比較した。
【００７５】
【表１】
2007502340.tif 000002
【００７６】
本発明にかかる包装製品においては、２つのコンパートメントは、一般的に、ほぼ等しい容量である。従って、フレグランスカプセルを希釈して、他方のコンパートメント内の界面活性剤系と比較して等しい容量を得る必要がある。
【００７７】
カプセルを有するコンパートメントは、一般的に、０．１〜８質量％のカプセルの水性分散液を収容している。
【００７８】
フレグランスカプセル、例えばＭｉｃｒｏｎａｌ（Ｒ）の水性分散液は、それ自体では安定でないことを見出した。このカプセルは、これを分散されたままにしておく増粘系を要求する。
【００７９】
前記表が示すように、非イオン性増粘剤、例えばＴｙｒｏｓｅ（Ｒ）は、かかる分散液を室温で安定させることができるが、４５℃では、多くの非イオン性増粘剤が低粘稠化し始め、そして幾分の分離をもたらす。かかる分離を回避するために、この増粘剤を、得られる分散液がクリーム状の粘度を有するように高濃度の量で与える必要がある。本発明にかかる２つのコンパートメントの包装製品内における使用にあたっては、かかる高粘度は望まれるものではない。
【００８０】
陰イオン性増粘剤、例えばＫｅｌｔｒｏｌ（Ｒ）ＳＦの場合においては、高温での安定性が改善されたが、かかる増粘剤は、劣化の間に、カプセルからのフレグランスの幾分の解放を惹起することがある。ＡＭＰＳポリマー及びコポリマー、例えばＨｏｓｔａｃｅｒｉｎ（Ｒ）ＡＭＰＳ又はＡｒｉｓｔｏｆｌｅｘ（Ｒ）ＡＶＣを使用した際には、フレグランスの解放は観察されなかった。
【００８１】
陽イオン性ポリマー、例えばＳａｌｃａｒｅ（Ｒ）ＳＣ６０、Ｃｏｓｍｅｄｉａ（Ｒ）Ｇｕａｒ又は種々のＪａｇｕａｒ（Ｒ）型は、カプセルの安定性に影響を与えないが、陰イオン性Ｍｉｃｒｏｎａｌ（Ｒ）カプセルの凝集を促進することがあり、その際、その分散液の幾分の分離をもたらす。
【００８２】
表が示すように、目下のところ、陰イオン性メラミン／ホルムアルデヒドカプセルの水性分散液が、非イオン性増粘剤と陽イオン性増粘ポリマーとの組合物によって最も良好に安定化できることを見出した。このカプセルを最初に非イオン性増粘剤溶液中に分散させる。この分散液に、陽イオン性増粘ポリマーを添加する。この手順によって、陰イオン性カプセルが陽イオン性増粘ポリマーと接触する際に凝集することが回避される。この陽イオン性ポリマーは、高められた温度でのカプセルの分散液の安定性を向上させ、その際、カプセル化されたフレグランスは抜き出されない。
【００８３】
目下のところ、陰イオン性メラミン／ホルムアルデヒドカプセルの水性分散液は、非イオン性増粘剤と陽イオン性増粘ポリマーとの組合物によって安定化できることを見出した。
【００８４】
ＡＭＰＳ型の陰イオン性増粘剤及びそれらのコポリマーが、陰イオン性メラミン／ホルムアルデヒドカプセルの優れた安定性を提供し、その際、そのカプセルから香料が抜き出されないことも見出した。
【００８５】
全ての組成は、フレグランスメラミンカプセルの水性分散液の安定性及び均質性をもたらし、その際、組成ＩＩＩ及び組成Ｖが、示された条件下で最も良好な貯蔵安定性をもたらした。
【図面の簡単な説明】
【００８６】
【図１】本発明にかかる一回量又は単一用量の包装製品を説明するものであり、該製品の第１のコンパートメント（部分１）は、フレグランスカプセルを水性懸濁液の形で有する一方で、第２のコンパートメント（部分２）は、液状洗浄剤ベースを有する
【図２ａ】離隔されたコンパートメントを有するプラスチック瓶を説明するものであり、該瓶の第１のコンパートメント（部分１）は、フレグランスカプセルを水性懸濁液の形で有する一方で、第２のコンパートメント（部分２）は、液状洗浄剤ベースを有する
【図２ｂ】２つのコンパートメントが一緒に取り付けられた閉じられた瓶を示すものである
【図３】２本の円筒体からなるプラスチック管を説明するものであり、該管の第１のコンパートメント（部分１）は第２のコンパートメント（部分２）と比べて小さい直径を有し、かつ第２のコンパートメントの内側に位置している
【図４】本発明にかかる一回量又は単一用量の包装製品を説明するものであり、該製品の第１のコンパートメント（部分１）は、フレグランスカプセルを水性懸濁液の形で有する一方で、第２のコンパートメント（部分２）は、液状洗浄剤ベースを有する
【図１】
2007502340.tif 000003
【図２ａ）】
2007502340.tif 000004
【図２ｂ）】
2007502340.tif 000005
【図３】
2007502340.tif 000006
【図４】
2007502340.tif 000007
【国際調査報告】
2007502340.tif 000008
2007502340.tif 000009